(57)【特許請求の範囲】
【請求項１】
左右対称に構成された一対の脚部と、これらの脚部の上端間を連結する上体保持枠と、それぞれの脚部に対して設けられ、遊脚となる脚部に作用する重力負荷を補償する遊脚自重補償機構と、それぞれの脚部に対して設けられ、支持脚となる脚部に作用する上体の重力負荷を補償する上体自重補償機構とを備え、左右の脚部に対応する遊脚自重補償機構と上体自重補償機構とを歩行動作とともに交互に働かせて歩行動作のアシストを行う自重補償型歩行アシスト装置であって、
それぞれの脚部は、上端がそれぞれ上体保持枠に回動自在に軸着された一対の上脚リンクと、これらの上脚リンクの下端がそれぞれ回動自在に軸着されたガイドフレームと、当該ガイドフレームに前後方向に所定距離スライド自在に取り付けられたスライダと、当該スライダに上端がそれぞれ回動自在に軸着された一対の下脚リンクと、これらの下脚リンクの下端がそれぞれ回動自在に軸着された足部から構成され、
上体保持枠、一対の上脚リンク、ガイドフレームによって、上体保持枠に対してガイドフレームが前後方向を含む鉛直面内で並進運動可能な上部平行リンク機構が形成され、
スライダ、一対の下脚リンク、足部によって、スライダに対して足部が前後方向を含む鉛直面内で並進運動可能な下部平行リンク機構が形成され、
それぞれの遊脚自重補償機構は、遊脚自重補償ばねと、当該遊脚自重補償ばねの付勢力を受けるピストンロッドを有する上部マスタシリンダユニットと、上部平行リンク機構に組み込まれて、上部マスタシリンダユニットと遊脚時のみ開かれる開閉弁を途中に有する管路を介して連結され、遊脚自重補償ばねの付勢力を上部平行リンク機構に伝達する上部作動シリンダユニットから構成され、
それぞれの上体自重補償機構は、上体自重補償ばねと、先端に係合部を設けたピストンロッドを有する下部マスタシリンダユニットと、当該下部マスタシリンダユニットのピストンロッドに沿ってスライド自在に設けられるとともに、上体自重補償ばねの付勢力を受けて、前記係合部と当接したときに、当該ピストンロッドへ上体自重補償ばねの付勢力を伝達するばね力伝達体と、
前記下部平行リンク機構に組み込まれて、下部マスタシリンダユニットと管路を介して連結され、上体自重補償ばねの付勢力を当該下部平行リンク機構に伝達する下部作動シリンダユニットから構成され、
それぞれの脚部に対応する上体自重補償機構の下部マスタシリンダユニットどうしはピストンロッドを同じ側に向けて並列に設けられているとともに、それぞれのピストンロッドに対応するばね力伝達体は、両者一体もしくは同調してスライドするように構成されていることを特徴とする自重補償型歩行アシスト装置。
【請求項２】
上体保持枠には搭乗者が跨るサドルが付設されているとともに、搭乗者の上体の左右方向の傾動に応動して、上体が中立位置から左右何れかの側に所定角度傾いたときに、傾斜側と反対側の脚部の遊脚自重補償機構の開閉弁を開く傾斜応動部材と、前記反対側の脚部のガイドフレームが上体保持枠に対する下降限界位置より上方に位置しているときに、前記ガイドフレームを含む上部平行リンク機構に連動して前記傾斜応動部材の中立位置への復帰を阻止して前記開閉弁を開状態に保持するインターロック機構とを備えたことを特徴とする請求項１記載の自重補償型歩行アシスト装置。
【発明の詳細な説明】
【技術分野】
【０００１】
本発明は、怪我や病気、高齢等のために自力歩行が困難な者の歩行動作を補助したり、歩行ロボットやパワーアシストスーツの歩行や脚屈伸の動作を行うモータ等の負荷を軽減したりするために用いられる歩行アシスト装置に関し、特に、歩行者やロボット等の自重を補償して歩行動作や脚屈伸動作をアシストするための自重補償型脚歩行アシスト装置に関する。
【背景技術】
【０００２】
従来、例えば、特許文献１に記載されているように、歩行動作をアシストして歩行動作に要するエネルギーを軽減する手段を備えた歩行ロボットの提案や、特許文献２に記載されていうように、高齢者等の歩行補助、重労働作業現場の移動補助などに用いられる下肢パワー増幅装置の提案がなされている。
【０００３】
前記特許文献１に記載されている歩行ロボットにおいては、その歩行動作と連動して、所定の閉空間内で制御用空気の動きを制御することで、該歩行ロボットの歩行をアシストする空気回路部を備えている。
【０００４】
前記空気回路部は、歩行ロボットの歩行時において、脚が立脚状態から遊脚状態に移行する際に、該脚を構成する各リンク部材の各関節部を介して行われる相対位置の変化に伴って制御用空気を介して該歩行のエネルギーの一部を歩行エネルギー回収部に回収し、脚が遊脚状態から立脚状態へ移行する際に、歩行エネルギー回収部によって回収された歩行エネルギーを開放して該脚の立脚状態への移行をアシストするようにしている。
【０００５】
また、前記特許文献２に記載されている下肢パワー増幅装置は、サドルと連結されたベース部材と当該ベース部材に対して前後左右方向に揺動可能に連結されて搭乗者の脚部に沿って延在する一対の脚部ユニットを備えており、搭乗者は前記サドルに跨って起立状態で搭乗し、これらの脚部ユニット下部にそれぞれ連結されたペダルに左右両足を載せて下肢を動作させることにより、アクチュエータの駆動によって人間の下肢の動作に用いられる力がアシストされるようにしたものである。
【先行技術文献】
【特許文献】
【０００６】
【特許文献１】特開２００９−２７４１４２号公報
【特許文献２】特開２００８−２５３５３９号公報
【発明の概要】
【発明が解決しようとする課題】
【０００７】
前述した特許文献１に記載されているものは、歩行エネルギーの回収と開放を歩行動作のタイミングに合わせて切り換えるために、制御用空気の流れを切り換える電磁弁やこの電磁弁を切換制御する制御装置等が必要であり、また、立脚状態から遊脚状態に至る歩行動作の過程において、制御用空気が空気回路部の絞り弁を通過する際の流動抵抗を利用して膝部の急激な屈伸動作を制動しているため、回収できる歩行エネルギに損失が生じ、遊脚状態の後、膝部を伸展させる際に利用できるエネルギーが減ってしまう問題があった。
【０００８】
また、前述した特許文献２に記載されているものは、左右の脚部ユニットを人間の下肢の動きに合わせて動作させるために、これらの脚部ユニットを駆動する複数のアクチュエータや左右のペダル上の搭乗者の足の動きを検出するための圧力センサユニット、これらの圧力センサユニットの出力信号によって前記アクチュエータを制御するための制御機器等を組み込んでいるため、構造が複雑になり製造コストが高くなる問題があった。
また、これらのアクチュエータや制御部等を動作させるためには、充電池等を搭載する必要があり、屋外等、電源が容易に確保できない場所での使用が制限される問題もあった。
【０００９】
そこで、本発明は、前述したような従来技術における問題点を解消し、駆動源を必要とせずに、歩行者や歩行ロボット等の自重を補償して歩行動作を効率的にアシストすることができる自重補償型脚歩行アシスト装置を提供することを目的とする。
【課題を解決するための手段】
【００１０】
前記目的のために提供される本発明の自重補償型歩行アシスト装置は、左右対称に構成された一対の脚部と、これらの脚部の上端間を連結する上体保持枠と、それぞれの脚部に対して設けられ、遊脚となる脚部に作用する重力負荷を補償する遊脚自重補償機構と、それぞれの脚部に対して設けられ、支持脚となる脚部に作用する上体の重力負荷を補償する上体自重補償機構とを備え、左右の脚部に対応する遊脚自重補償機構と上体自重補償機構とを歩行動作とともに交互に働かせて歩行動作のアシストを行うものである。
【００１１】
なお、ここで遊脚とは歩行時に上体の重量が負荷されておらず床面から離すことができる側の脚を意味し、支持脚とは上体の重量を支える側の脚を意味している。また、両足で床面に立っている場合には、左右両側の脚が支持脚となる。
また、以後の説明において、床面とは屋内の床面の他、本発明の自重補償型歩行アシスト装置によって歩行することのできる屋外の路面等を含むものとする。
【００１２】
本発明の自重補償型歩行アシスト装置においては、左右それぞれの脚部は、上端がそれぞれ上体保持枠に回動自在に軸着された一対の上脚リンクと、これらの上脚リンクの下端がそれぞれ回動自在に軸着されたガイドフレームと、当該ガイドフレームに前後方向に所定距離スライド自在に取り付けられたスライダと、当該スライダに上端がそれぞれ回動自在に軸着された一対の下脚リンクと、これらの下脚リンクの下端がそれぞれ回動自在に軸着された足部から構成されている。
【００１３】
また、上体保持枠、一対の上脚リンク、ガイドフレームによって、上体保持枠に対してガイドフレームが前後方向を含む鉛直面内で並進運動可能な上部平行リンク機構が形成されているとともに、スライダ、一対の下脚リンク、足部によって、スライダに対して足部が前後方向を含む鉛直面内で並進運動可能な下部平行リンク機構が形成されている。
【００１４】
前記それぞれの遊脚自重補償機構は、遊脚自重補償ばねと、当該遊脚自重補償ばねの付勢力を受けるピストンロッドを有する上部マスタシリンダユニットと、上部平行リンク機構に組み込まれて、上部マスタシリンダユニットと遊脚時のみ開かれる開閉弁を途中に有する管路を介して連結され、遊脚自重補償ばねの付勢力を上部平行リンク機構に伝達する上部作動シリンダユニットから構成されている。
【００１５】
また、前記それぞれの上体自重補償機構は、上体自重補償ばねと、先端に係合部を設けたピストンロッドを有する下部マスタシリンダユニットと、当該下部マスタシリンダユニットのピストンロッドに沿ってスライド自在に設けられるとともに、上体自重補償ばねの付勢力を受けて、前記係合部と当接したときに、当該ピストンロッドへ上体自重補償ばねの付勢力を伝達するばね力伝達体と、前記下部平行リンク機構に組み込まれて、下部マスタシリンダユニットと管路を介して連結され、上体自重補償ばねの付勢力を当該下部平行リンク機構に伝達する下部作動シリンダユニットから構成されている。
【００１６】
また、それぞれの脚部に対応する上体自重補償機構の下部マスタシリンダユニットどうしはピストンロッドを同じ側に向けて並列に設けられているとともに、それぞれのピストンロッドに対応するばね力伝達体は、両者一体もしくは同調してスライドするように構成されている。
【００１７】
本発明の自重補償型歩行アシスト装置においては、上体保持枠には搭乗者が跨るサドルが付設されているとともに、搭乗者が上体を左右何れかの側に傾ける動きに応動し、中立位置から左右何れかの側に所定角度傾いたときに、傾斜側と反対側の脚部の遊脚自重補償機構の開閉弁を開く傾斜応動部材と、前記反対側の脚部のガイドフレームが上体保持枠に対する下降限界位置より上方に位置しているときに、前記ガイドフレームを含む上部平行リンク機構に連動して前記傾斜応動部材の中立位置への復帰を阻止し前記開閉弁を開状態に保持するインターロック機構とを備えていることが望ましい。
【発明の効果】
【００１８】
請求項１記載の発明に係る自重補償型歩行アシスト装置によれば、駆動源を用いることなく、歩行者や歩行ロボット等の自重を補償して歩行動作を効率的にアシストすることができ、特に歩行ロボットやパワーアシストスーツに取り付けた場合には、歩行用アクチュエータの負荷やエネルギ消費を大幅に低減することができる。
【００１９】
また、請求項２記載の発明に係る自重補償型歩行アシスト装置によれば、歩行者の歩行アシストのために有効に利用でき、搭乗者はサドルに跨った立ち姿勢で、自然な歩行動作を行うことが可能となる。
【００２０】
また、歩行動作時に、支持脚側では上体自重補償機構が動作して上体自重が補償され、一方、遊脚側では脚部の自重が遊脚自重補償機構によって補償され、歩進に伴ってこれらの補償力を左右交互に切り替えることができるため、怪我や病気、高齢等のために、脚の筋力が衰弱して自力では歩行が困難な者でも、車椅子等に乗ることなく両手が自由に使える状態で容易に歩行することができ、また、定位置における脚の屈伸動作を伴う作業等も膝や腰に負担がかからず容易に行うことができる。
【図面の簡単な説明】
【００２１】
【図１】本発明に係る自重補償型歩行アシスト装置の１実施形態を示す正面図である。
【図２】本発明に係る自重補償型歩行アシスト装置の１実施形態を示す側面図である。
【図３】本発明に係る自重補償型歩行アシスト装置の１実施形態における左側の脚部３Ａの構造を簡略化して示した側面図である。
【図４】本発明に係る自重補償型歩行アシスト装置の１実施形態における遊脚自重補償機構の概略構造図である。
【図５】図４における作動シリンダユニットのピストンロッドと上脚リンク間の幾何学的関係を説明する図である。
【図６】本発明に係る自重補償型歩行アシスト装置の１実施形態における上体自重補償機構の概略構造図である。
【図７】本発明に係る自重補償型歩行アシスト装置の１実施形態における開閉弁制御機構の概略構造図である。
【図８】図７に示す開閉弁制御機構における固定ガイドとゲート板の関係を概略的に示す部分斜視図である。
【図９】図７に示す開閉弁制御機構において、傾斜応動部材の右への傾動により、左脚側の開閉弁が開かれた状態を示す図である。
【図１０】図７に示す開閉弁制御機構において、右脚側のゲート板の上昇により、傾斜応動部材が傾動位置で保持されている状態を示す図である。
【図１１】本発明に係る自重補償型歩行アシスト装置による定位置における両脚屈伸動作の説明図である。
【図１２】本発明に係る自重補償型歩行アシスト装置による歩行動作の説明図である。
【発明を実施するための形態】
【００２２】
以下、本発明の実施形態について図面を参照して説明する。図１は、本発明に係る自重補償型歩行アシスト装置（以下、単に歩行アシスト装置という。）の１実施形態における概略構造を示す正面図、図２はその側面図であって、これらの図に示す歩行アシスト装置１は、歩行者の自重等を補償してその歩行動作をアシストするためのものである。
【００２３】
この歩行アシスト装置１は、上体保持枠２の左右両側に一対の脚部３Ａ、３Ｂが連結されていて左右対称な構造となっている。なお、以下の説明では、歩行アシスト装置１に乗って使用する搭乗者Ｍの正面を前側、背面を後側とし、また、搭乗者Ｍの左脚側を左側、右脚側を右側とする。
【００２４】
搭乗者Ｍは、これらの脚部３Ａ、３Ｂの下端に有する足部４Ａ、４Ｂ上に左右の足を載せて適宜の手段により固定し、上体保持枠２の前側中央に取り付けられているサドル５に跨がった立ち姿勢で歩行アシスト装置１に乗る。なお、本実施形態のものにおいては、このサドル５の上部には搭乗者Ｍの腰部をサドル５に固定するための固定ベルト６が付属している。
【００２５】
図３は、その左側の脚部３Ａの構造を簡略化して示した側面図であって、右側の脚部３Ｂについては、脚部３Ａと左右対称構造である点を除いて同一構造であるため、以下、脚部３Ａについて説明する。
【００２６】
同図に示すように、脚部３Ａは、それぞれ上端を上下方向に離間して設けられた支軸７、８で上体保持枠２の側部に対して回動自在に軸着されている同じ長さの一対の上脚リンク９、１０を有している。
【００２７】
これらの上脚リンク９、１０の下端は、前記支軸７、８間と等しい軸間距離をもって、上下方向に離間して設けられた支軸１１、１２でガイドフレーム１３に回動自在に軸着されていて、上体保持枠２、一対の上脚リンク９、１０、及び、ガイドフレーム１３によって、前後方向に平行な鉛直面内において揺動可能な上部平行リンク機構１４が形成されている。
【００２８】
前記ガイドフレーム１３は、支軸１１、１２が取り付けられている垂直部１３Ａと、当該垂直部１３Ａの下端に連続して後方に伸びている水平部１３Ｂから略Ｌ字形に構成されていて、前記水平部１３Ｂの下面には、スライダ１５が前後方向に所定距離スライド自在に案内支持されている。
【００２９】
前記スライダ１５には、前後方向に離間して設けられた支軸１６、１７で、同じ長さの一対の下脚リンク１８、１９の上端が回動自在に軸着されている。これらの下脚リンク１８、１９の下端は、前記支軸１６、１７と等しい軸間距離をもって前後方向に離間してけられた支軸２０、２１により、足部４Ａの上部に回動自在に軸着されており、スライダ１５、下脚リンク１８、１９、及び、足部４Ａによって、前後方向に平行な垂直面内で揺動可能な下部平行リンク機構２２が形成されている。
【００３０】
また、一方の上脚リンク１０と上体保持枠２との間には、後述する遊脚自重補償機構の一部を構成する上部作動シリンダユニット２３が連結されている。この上部作動シリンダユニット２３は、上脚リンク１０の長手方向途中位置に支軸２４で先端部が回動自在に軸着されたピストンロッド２３Ａと、支軸８の鉛直上方に所定距離離れた位置で、支軸２５によりロッド側端部近傍を回動自在に軸着されているシリンダ本体２３Ｂから構成されている。
【００３１】
図４は、遊脚自重補償機構の概略構造図であって、本実施形態の歩行アシスト装置１においては、遊脚自重補償機構は左右両側の脚部３Ａ、３Ｂに対してそれぞれ左右対称に設けられているが、両者の構造は基本的に同一であるため、左側の脚部３Ａ側のものでその構造を説明する。
【００３２】
遊脚自重補償機構は、前述した上部作動シリンダユニット２３と、上部マスタシリンダユニット２６、これらの間を連結する管路２７、この管路２７の途中に設けられた開閉弁２８、及び、圧縮コイルばねを用いた遊脚自重補償ばね２９から構成されていて、上部マスタシリンダユニット２６と開閉弁２８、及び遊脚自重補償ばね２９は、上体保持枠２に搭載されている。
【００３３】
同図に示すように、シリンダ本体２３Ｂを上体保持枠２に回動自在に連結している支軸２５は、上脚リンク１０と前記上体保持枠２を連結している支軸８の鉛直上方に中心間距離ｈだけ離間して配置されている。
【００３４】
また、シリンダ本体２３Ｂから外部に突出しているピストンロッド２３Ａの先端と上脚リンク１０とを回動自在に連結している支軸２４は、支軸８から上脚リンク１０の長手方向に中心間距離ｐだけ離間して配置されている。
【００３５】
上部作動シリンダユニット２３のシリンダ本体２３Ｂ内には、ピストンロッド２３Ａの一端に固定されたピストン２３Ｃがスライド自在に嵌挿されている。また、前記シリンダ本体２３Ｂのロッド側の端部近傍とヘッド側の端部近傍にはそれぞれ、シリンダ本体２３Ｂの内部と外部とを連通するポートＰ１、Ｐ２が設けられている。
【００３６】
一方、上部マスタシリンダユニット２６は、上部作動シリンダユニット２３と同様な構造であるが、そのピストンロッド２６Ａの先端には、外径を拡大したばね受部２６Ｂが形成されていて、シリンダ本体２６Ｃのロッド側の端面と前記ばね受部２６Ｂとの間に、前述した遊脚自重補償ばね２９が所定量圧縮された状態で組み込まれている。
【００３７】
また、シリンダ本体２６Ｃのロッド側端部近傍とヘッド側端部近傍にはそれぞれ、上部作動シリンダユニット２３のシリンダ本体２３Ｂと同様なポートＰ１、Ｐ２が設けられていて、両者のロッド側ポートＰ１どうしが屈曲自在な管路２７によって連結されている。
【００３８】
また、上部作動シリンダユニット２３のシリンダ本体２３Ｂと、上部マスタシリンダユニット２６のシリンダ本体２６Ｃのそれぞれのヘッド側ポートＰ２はともに、大気中に開放されている。
【００３９】
シリンダ本体２３Ｂとシリンダ本体２６Ｃ内部にそれぞれピストン２３Ｃ、２６Ｄによって画成されたヘッド側シリンダ室と、これらのシリンダ室間を連通する前述の管路２７の内部には油のような非圧縮性の作動流体が封入されている。
【００４０】
前記管路２７の途中に設けられている開閉弁２８が同図に示すように閉じられている場合には、上部作動シリンダユニット２３においては、シリンダ本体２３ＢのポートＰ１を通して管路２７側との作動流体の出入りは遮断されているため、そのピストンロッド２３Ａは動かず、従って、上脚リンク１０の支軸８回りの回動はロックされている。
【００４１】
一方、開閉弁２８が開かれているときには、上脚リンク１０を支軸８回りに回動させると、上部作動シリンダユニット２３のピストンロッド２３Ａが伸縮し、その動きは管路２７を通る作動流体を介して上部マスタシリンダユニット２６のピストンロッド２６Ａに伝達される。
【００４２】
すなわち、上部作動シリンダユニット２３側のピストンロッド２３Ａが長さδＬ１だけ伸長（収縮）すると、上部マスタシリンダユニット２６側のピストンロッド２６Ａは、これに連動して長さδＬ２だけ収縮（伸長）する。  
【００４３】
ここで、上部作動シリンダユニット２３のピストン２３Ｃの受圧面積をＳ１、上部マスタシリンダユニット２６のピストン２６Ｄの受圧面積をＳ２とすると、作動流体が油のように非圧縮性流体の場合においては、上部作動シリンダユニット２３側で流出（または流入）する作動流体の容積は、上部マスタシリンダユニット２６側で流入（または流出）する容積に等しいから下記の関係が成り立つ。
δＬ１Ｓ１＝δＬ２Ｓ２            （１）
【００４４】
また、遊脚自重補償ばね２９のばね定数をＫとすると、これが自然長からδＬ２だけ圧縮された時に、遊脚自重補償ばね２９が上部マスタシリンダユニット２６のピストンロッド２６Ａに作用する力Ｆ（引っ張り力）は次のようになる。
Ｆ＝ＫδＬ２                  （２）
【００４５】
また、上部マスタシリンダユニット２６側から管路２７を流れる作動流体を介して上部作動シリンダユニット２３のピストンロッド２３Ａに伝達される力をｆとすると、パスカルの原理により、  
ｆ＝（Ｓ１／Ｓ２）Ｆ          （３）
【００４６】
（３）式に（１）式と（２）式を適用すると、
ｆ＝（Ｓ１／Ｓ２）ＫδＬ２＝（Ｓ１／Ｓ２）２  ＫδＬ１    （４）
ここで、ｋ＝（Ｓ１／Ｓ２）２  Ｋとおくと、ｆ＝ｋδＬ１と表せるから、上部作動シリンダユニット２３は見かけ上、前記ばね定数ｋのばねと等価な機能を有している。
【００４７】
一方、図４に示すように、支軸２４と支軸２５との間の中心間距離がＬｓのときに、前記遊脚自重補償ばね２９は、その自然長（無負荷時の長さ）より（ Ｓ１／Ｓ２ ）Ｌｓだけ圧縮された状態でピストンロッド２６Ａに組み付けられている。
【００４８】
その結果、上部作動シリンダユニット２３のピストンロッド２３Ａには、（Ｓ１／Ｓ２）２  ＫＬｓの引っ張り力が作用して、これが支軸８回りに上脚リンク１０を同図で時計回りに回動させようとする補償トルクを発生させる。
【００４９】
ここで、上体保持枠２が反対側の脚部３Ｂ（図１参照）のみで支えられて、左側の足部４Ａが地面から離れた遊脚状態を考える。この状態において、上脚リンク１０の自重を含めた左側の脚部３Ａの全重量Ｗが、当該上脚リンク１０上に仮想した作用点Ｇに集中しているものとする。
【００５０】
図５は、上体保持枠２、上脚リンク１０、ピストンロッド２３Ａの間の幾何学的関係を簡略化した模式図であって、同図において、Ｏ点は支軸８の中心位置、ａ点は、支軸２５の中心位置、ｂ点は支軸２４の中心位置をそれぞれ表している。
【００５１】
また、θは、水平方向（図中Ｘで示す方向）から上脚リンク１０が下方に傾斜した角度、φは、鉛直方向（図中Ｙで示す方向）に対するピストンロッド２３Ａの傾斜角を表している。
【００５２】
作用点Ｇに作用する左側の脚部３Ａの全重量Ｗが上脚リンク１０に及ぼすＯ点回りの負荷トルクをτｗ、Ｏ点と作用点Ｇ間の距離をＬとすると、
τｗ＝ＷＬｃｏｓθ  （５）
【００５３】
一方、ピストンロッド２３Ａに作用する引っ張り力が上脚リンク１０に及ぼすＯ点回りの補償トルクをτｓとすると、（４）式中でδＬ１をＬｓと置き換えて、
τｓ＝（Ｓ１／Ｓ２）２  ＫＬｓｈｓｉｎφ   （６）
【００５４】
ここで、図５の幾何学的関係から明らかなように、
Ｌｓｓｉｎφ＝ｐｃｏｓθ    （７）
であるから、（７）式と（６）式からｓｉｎφを消去すると、
τｓ＝（Ｓ１／Ｓ２）２  Ｋｐｈｃｏｓθ  （８）
【００５５】
ここで、補償トルクτｓと負荷トルクτｗは向きが反対であり、遊脚自重補償ばね２９のばね定数Ｋを下記のように選択すれば、上脚リンク１０の角度θに関係なく脚部３Ａに作用する重力による負荷の補償が可能となる。
Ｋ＝（Ｓ２ ／Ｓ１）２ＷＬ／ｐｈ            （９）
なお、実際に使用する遊脚自重補償ばね２９は、上記ばね定数Ｋよりやや小さいものを選択して、補償トルクτｓが負荷トルクτｗより僅かに下回るように調整しておく。
【００５６】
前述した遊脚自重補償機構は、歩行アシスト装置１で歩行動作を行う際に、遊脚側の開閉弁２８を開くことによって、これらの脚部３Ａ、３Ｂを持ち上げる動作の負担を軽減する役割を果たす。 
【００５７】
なお、本実施形態のものにおいては、図３に示すように、上部作動シリンダユニット２３のピストンロッド２３Ａの先端を上脚リンク１０の長手方向途中位置に支軸２４で回動自在に連結し、シリンダ本体２３Ｂを上体保持枠２に支軸２５で回動自在に連結してあるが、上部作動シリンダユニット２３の連結位置は、これに限定するものではなく、先に述べた（８）式に示すように、上部作動シリンダユニット２３によって生じる補償トルクが上脚リンク９、１０の傾斜角度の余弦に比例して変化するような幾何学的関係を満たしていれば、前記ばね定数Ｋを適宜選択することによって、遊脚時の自重補償が可能である。
【００５８】
また、図３に示すように、下部平行リンク機構２２の構成要素となっている一方の下脚リンク１９とスライダ１５の下面に設けられているブラケット１５Ａとの間には、後述する上体自重補償機構の一部を構成する下部作動シリンダユニット３０が連結されている。
【００５９】
下部作動シリンダユニット３０は、下脚リンク１９の長手方向途中位置に支軸３１で先端部が回動自在に軸着されたピストンロッド３０Ａと、支軸１７の鉛直下方に所定距離離れた位置で、支軸３１Ａによりロッド側端部近傍を回動自在に軸着されたシリンダ本体３０Ｂから構成されている。
【００６０】
図６は、上体自重補償機構の概略構造図であって、下部作動シリンダユニット３０、下部マスタシリンダユニット３２、及び、これらの間を連結する管路３３、上体自重補償ばね３４、ならびに、下部マスタシリンダユニット３２のピストンロッド３２Ａと上体自重補償ばね３４との間に介在されているばね力伝達体３５によって、左脚側、右脚側それぞれに対して上体自重補償機構が構成されている。
【００６１】
同図から明らかなように、下部作動シリンダユニット３０、下部マスタシリンダユニット３２、及び、これらの間を連結する管路３３については、左脚用と右脚用に同一構造のものが２組用いられ、上体自重補償ばね３４とばね力伝達体３５は左右共用で一組用いられている。
【００６２】
下部マスタシリンダユニット３２は、前述した上体保持枠２に取り付けられている矩形状の保持枠３６内に、左右それぞれのシリンダ本体３２Ｂのヘッド側端部が固定されて並列して取り付けられている。
【００６３】
また、これらのシリンダ本体３２Ｂの間には、ガイドロッド３７がその両端を保持枠３６の上下に対向する２辺間に固定されていて、このガイドロッド３７は、前述のばね力伝達体の中央部に形成されたガイド孔３５Ａを貫通し、当該ばね力伝達体３５を軸方向にスライド自在に案内支持している。
【００６４】
ばね力伝達体３５には、ガイド孔３５Ａに対して左右対称位置に、一対のピストンロッド受孔３５Ｂが形成されている。これらのピストンロッド受孔３５Ｂには、左右一対の下部マスタシリンダユニット３２のピストンロッド３２Ａがそれぞれ軸方向にスライド自在に貫通している。
【００６５】
これらのピストンロッド３２Ａの先端には、ばね力伝達体３５上面のピストンロッド受孔３５Ｂの周縁部と係合する外径が拡大された係合部３２Ｃが設けられている。
【００６６】
また、上体自重補償ばね３４は、保持枠３６とばね力伝達体３５の間において、ガイドロッド３７に伸縮可能に嵌挿されて保持されていて、常時ばね力伝達体３５を上向きに付勢している。
【００６７】
一方、左右それぞれの下部作動シリンダユニット３０のシリンダ本体３０Ｂ内には、ピストンロッド３０Ａの一端に固定されたピストン３０Ｃがスライド自在に嵌挿されている。また、前記シリンダ本体３０Ｂのロッド側の端部近傍と、ヘッド側の端部近傍にはそれぞれ、シリンダ本体３０Ｂの内部と外部とを連通するポートＰ１、Ｐ２が設けられている。
【００６８】
また、下部マスタシリンダユニット３２のシリンダ本体３２Ｂのロッド側端部近傍とヘッド側端部近傍にはそれぞれ、下部作動シリンダユニット３０のシリンダ本体３０Ｂと同様なポートＰ１、Ｐ２が設けられていて、左脚側と右脚側それぞれに、両者のロッド側ポートＰ１どうしが管路３３で連結されている。
【００６９】
一方、下部作動シリンダユニット３０のシリンダ本体３０Ｂと、下部マスタシリンダユニット３２のシリンダ本体３２Ｂのそれぞれのヘッド側ポートＰ２はともに、大気中に開放されている。
【００７０】
また、シリンダ本体３０Ｂとシリンダ本体３２Ｂの内部にそれぞれピストン３０Ｃ、３２Ｄによって画成されたヘッド側シリンダ室と、これらのシリンダ室間を連通する前述の管路３３の内部には油等の非圧縮性の作動流体が満たされている。
【００７１】
前述したように構成されている上体自重補償機構は、図６に示すように、左脚側、右脚側それぞれの下脚リンク１８、１９が左右同一角度に傾斜して、左右両方の下部作動シリンダユニット３０のピストンロッド３０Ａが同一長さ突出している状態においては、左右のマスタシリンダユニット３２のピストンロッド３２Ａ先端に設けられているそれぞれの係合部３２Ｃは同一高さにあり、両方ともばね力伝達体３５と係合している。
【００７２】
この状態においては、上体自重補償ばね３４の付勢力は、ばね力伝達体３５を介して左右のピストンロッド３２Ａに均等に分配されて伝達され、それぞれに管路３３を介して、左右の下部作動シリンダユニット３０のピストンロッド３０Ａに収縮させる向きの補償力として伝達されて、左右それぞれ脚リンク１９を支軸２１に対して、図６の反時計回りに回動させようとする補償トルクを生じる。
【００７３】
前記補償トルクは、ここでは説明は省略するが、上体自重補償ばね３４のばね定数を選択することによって、先に説明した遊脚自重補償機構の場合と同様にして、脚リンク１８、１９の傾き角度に関係なく、足部４Ａ、４Ｂの上方に作用する搭乗者を含む歩行アシスト装置１の上体自重を補償することができる。
【００７４】
なお、実用上は、上体自重補償ばね３４のばね定数は、支軸２１中心に時計回りに作用する負荷トルクより、前記補償トルクがやや下回るように選択してある。
また、本実施形態のものにおいては、図３に示すように、下部作動シリンダユニット３０のピストンロッド３０Ａの先端を下脚リンク１９の長手方向途中位置に支軸３１で回動自在に連結し、シリンダ本体３０Ｂをスライダ１５の下面に設けられているブラケット１５Ａに支軸３１Ａで回動自在に連結してあるが、下部作動シリンダユニット３０の連結位置は、これに限定するものではなく、上部作動シリンダ２３と同様に、下部作動シリンダユニット３０によって生じる補償トルクが下脚リンク１８、１９の傾斜角度の余弦に比例して変化するような幾何学的関係を満たしていればよい。
【００７５】
ここで、図１に示すように左右の足部４Ａ、４Ｂに均等に体重を載せていた搭乗者Ｍが、右側の脚部担持体４Ｂ側に体重を移動すると、右側の下部作動シリンダユニット３０のピストンロッド３０Ａは、負荷の方が補償力より大きくなるため、伸長方向に引っ張られる。
【００７６】
その結果、管路３３で連結されている右側の下部マスタシリンダユニット３２のピストンロッド３２Ａが収縮方向へ引っ張られる力は増加し、一方、左側の下部作動シリンダユニット３０のピストンロッド３０Ａの負荷は減少するため、左側の下部マスタシリンダユニット３２のピストンロッド３２Ａが収縮方向へ引っ張られる力は減少する。
【００７７】
左右それぞれの下部マスタシリンダユニット３２のピストンロッド３２Ａは、ばね力伝達体３５に対して相対的に係合部３２Ｃが離れてしまうと上体自重補償ばね３４からの付勢力は伝達されなくなるから、右側への体重移動によって、左右の下部マスタシリンダユニット３２のピストンロッド３２Ａに作用する負荷の均衡状態が崩れると、右側の下部マスタシリンダユニット３２のピストンロッド３２Ａのみに、ばね力伝達体３５を介して上体自重補償ばね３４の付勢力の全てが伝達されることになる。
【００７８】
その結果、右脚側に体重を移動することにより、上体重自重補償ばね３４による補償力を全て右脚側に作用させることができる。また同様に、左脚側に体重を移動したときには、補償力を全て左脚側に作用させることができる。
【００７９】
なお、本実施形態のものにおいては、一つの上体自重補償ばね３４を用いているが、これに限定するものではなく、例えば、左右それぞれの下部マスタシリンダユニット３２のピストンロッド３０Ａのそれぞれに、一つずつ装着してもよい。
【００８０】
また、本実施形態のものにおいては、単一のばね力伝達体３５を用いているが、左右それぞれのピストンロッド３０Ａに対してばね力伝達体を個別に一つずつ設け、これらをリンク等の連動部材によって連結して、左右のばね力伝達体どうしが同調してスライドするようにしてもよい。
【００８１】
次に、図７は前述した開閉弁２８の開閉制御を行うための開閉弁制御機構の概略構造図であって、開閉弁制御機構３８は、前述した上体保持枠２に対して回動自在に軸受支持されている、前後方向に向いた回動軸３９を有している。
【００８２】
この回動軸３９には、左右対称な輪郭形状の板カム４０が固定されており、前述した開閉弁２８は、この板カム４０を挟んだ左右両側に一対配置されている。また、回動軸３９は、板カム４０に連結された戻しばね４１によって、常時中立位置へ復帰する回動習性を付与されている。
【００８３】
板カム４０の左右両側にそれぞれ配置されている開閉弁２８は、前述した図４で説明した上部作動シリンダユニット２３に連結されている管路２７に組み込まれているもので、図７において左側に配置されているものが左脚側に、右側に配置されているものが右脚側のものにそれぞれ対応している。
【００８４】
板カム４０は、中立位置から時計回りに所定角度回転すると同図において左側の開閉弁２８（左脚用）に設けられたローラフォロワ２８Ａを押して当該開閉弁２８を開き、一方、反時計回りに所定角度回転すると、右側の開閉弁２８（右脚用）を同様に開くようになっている。
【００８５】
また、前記回転軸３９には、その中立位置において鉛直上方を向いた姿勢をとる棒状の傾斜応動部材４２の下端が固定されており、この傾斜応動部材４２の長手方向途中位置には、短い円柱状の係合ピン４３が後方に向けて突設されている。
【００８６】
なお、詳細な図示は省略するが、傾斜応動部材４２は、図１に示す歩行アシスト装置１の上体保持枠２に対して搭乗者Ｍが上半身を左または右に傾けたときに、その動きによって傾動するようにしてある。
【００８７】
一方、回動軸３９の上方で、当該回動軸３９の中心軸線が含まれる鉛直面に対して左右対称位置にはそれぞれ、一対の固定ガイド４４とこれらの固定ガイド４４間で上下方向に所定の距離だけスライド自在に案内支持されるゲート板４５が設けられている。
【００８８】
左右それぞれの組の一対の固定ガイド４４とゲート板４５は、図８に示すように、ゲート板４５が下降限界位置まで下りているときに、互いに重なって横断方向に開口する略コ字状の切欠ａ、ｂを有している。
【００８９】
また、左右それぞれのゲート板４５は、図７に示すように、引きばね４６によって、常時下降限界位置に下がっているように付勢されている。また、図８に示すように、重なっている切欠ａ、ｂは、傾斜応動部材４２が回動軸３９を中心に左右何れかの向きに傾動したときに、傾斜応動部材４２に設けられている係合ピン４３が通過できるように、これらの位置とサイズが設定されている。
【００９０】
そして、左右それぞれのゲート板４５が下降限界位置にあるときには、図９に示すように、傾斜応動部材４２が右に傾いて、係合ピン４３が右側のゲート板４５の切欠ａを外側に通り抜けると、板カム４０は左側の開閉弁２８を開き、また、前記傾斜応動部材４２が左に傾いて係合ピン４３が右側のゲート板４５の切欠ａを外側に通り抜けると、右側の開閉弁２８を開くようになっている。
【００９１】
また、それぞれのゲート板４５の上端部には、連結具４７を介してワイヤ４８が連結されている。詳細な説明と図示は省略するが、図７における右側のゲート板４５は、ワイヤ４８を介して前述した図３に示す左脚側の上部平行リンク機構１４に連動し、また左側のゲート板４５は、右脚側の上部平行リンク機構（左脚側と同一構造のため図示せず）に連動するようになっている。
【００９２】
すなわち、左脚側、右脚側とも、上部平行リンク機構１４のリンク要素となっている上体保持枠２に対して、相対的にガイドフレーム１３が下降限界位置まで降りているときには、ゲート板４５はこれを案内している一対の固定ガイド４４とそれぞれの切欠ａ、ｂが連通する下降限界位置に移動している。
【００９３】
また、ガイドフレーム１３が下降限界位置より上方へ持ち上がったときには、前記ワイヤ４８を介してゲート板４５は引きばね４６の付勢力に抗して上方へ引き上げられ、ゲート板４５の切欠ａと一対の固定ガイド４４の切欠ｂの位置が上下方向にずれて開口が閉じられる。
【００９４】
したがって、図１０に示すように、右側のゲート板４５の外側に係合ピン４３が移動しているときに、上体フレーム２に対して相対的に左側のガイドフレーム１３が持ち上げられると、右側のゲート板４５が上昇して開口が閉じられ、係合ピン４３の復帰移動が阻止されるため、傾斜応動部材４２は右に傾斜した状態で保持される。
【００９５】
この状態は、左側のガイドフレーム１３を下降限界位置に戻すことにより、切欠ａ、ｂが重なると解除され、傾斜応動部材４２は中立位置へ復帰回動することができる。なお、傾斜応動部材４２が左に傾斜した場合については、左右の動作が入れ替わるだけであるので説明は省略する。
【００９６】
なお、前述した固定ガイド４４、ゲート板４５、ワイヤ４８、引きばね４６等は、本発明におけるインターロック機構を構成している。このインターロック機構は、前述した構成に限定するものではなく、ガイドフレーム１３が上体保持枠２に対する下降限界位置より上方に位置するときに、当該ガイドフレーム１３を含む上部平行リンク機構１４に連動して傾斜応動部材４２の中立位置への復帰を阻止し、開閉弁２８を開状態に保持する機能を有していればよい。
【００９７】
また、本実施形態のものにおいては、開閉弁２８の開閉制御を機械的に行っているが、これに代えて電磁式の開閉弁を用い、且つ搭乗者の上体の傾動や、上体保持枠２に対するガイドフレーム１３の上下位置をリミットスイッチ等の位置検知手段で検知することにより、電気的に行ってもよい。
【００９８】
次に、本発明の自重補償型脚歩行アシスト装置の動作について説明する。
Ａ）両足を接地して屈伸動作を行う場合
図１１は、前述した歩行アシスト装置１の定位置における両脚屈伸動作の説明図であって、同図（ａ）は下脚リンク１８、１９を伸長した（引き起こした）状態、（ｂ）は下脚リンク１８、１９を屈曲させた（傾倒させた）状態を示している。
【００９９】
なお、同図において搭乗者の図示は省略してあるが、搭乗者は、図１及び図２で先に説明したように、サドル５に跨って両足を足部４Ａ、４Ｂに載せた起立姿勢で搭乗している。
【０１００】
屈伸動作時には、搭乗者の上体は、上体保持枠２に対して左右いずれの側にも傾いていないため、前述した図７に示す傾斜応動部材４２は中立位置にあり、したがって、図４に示す開閉弁１８は左右両側とも閉じている。
【０１０１】
この状態では、左右の上部作動シリンダユニット２３への作動流体の出入りは遮断されており、これらのピストンロッド２３Ａの伸縮はできないため、上脚リンク９、１０を含む上部平行リンク機構１４は、左右両脚側とも固定され、屈伸動作は下脚リンク１８、１９を含む下部平行リンク機構２２の動きのみによって行われる。
【０１０２】
また、搭乗者を含む歩行アシスト装置１の重心が中央にある状態においては、図６に示すように、上体自重補償機構に組み込まれている上体自重補償ばね３４の補償力が、左右両側の下部作動シリンダユニット３０のピストンロッド３０Ａに対して均等に作用しているため、搭乗者が自己の両脚を定位置で同時に屈伸させると、左右の下脚リンク１８、１９は搭乗者の動きに追従し、当該上体自重補償機構で自重補償されて容易に屈伸動作を行うことができる。
【０１０３】
なお、屈伸運動の際は、図１１（ａ）、（ｂ）に示すように、左右のスライダ１５はそれぞれのガイドフレーム１３に対する可動範囲内で前後方向にスライドし、下脚リンク１８、１９上端の前後の動きを吸収する。
【０１０４】
Ｂ）歩行動作を行う場合
次に、図１２は、自重補償型歩行アシスト装置１による歩行動作の説明図であって、同図においても図１１と同様に、搭乗者の図示は省略してある。
【０１０５】
図１２（ａ）は、前述の図１１（ａ）と同じように、両脚を揃えて立っている状態を側面から見た図であって、足部４Ａ、４Ｂは前後に重なった位置にある。この状態では、前述したように左右の上部作動シリンダユニット２３への作動流体の出入りは両方とも遮断されている。
【０１０６】
この際、左右両側とも上脚リンク９、１０は、上体保持枠２に対して同一角度で下降限界位置で固定されている。一方、下脚リンク１８、１９は、左右同一角度で上体自重補償機構により左右均等に自重補償されている。また、左右のガイドフレーム１３に対してそれぞれのスライダ１５は前後方向の可動範囲の中間位置にある。
【０１０７】
次に、搭乗者が体の重心を右脚側に移動すると、前述したように、図６に示す上体補償ばね３４の補償力は全て右脚側の下部作動シリンダユニット３０に伝達される。なお、この段階では、左右の下部作動シリンダユニット３０のピストンロッド３０Ａにはストロークの変化は生じていない。
【０１０８】
さらに、搭乗者が上体を右に傾けることによって、前述した図９に示すように、傾斜応動部材４２は右側に傾き、左側の開閉弁２８が開かれる。その結果、左脚側の上部作動シリンダユニット２３のピストンロッド２３Ａから補償力が作用した状態で、左側の上脚リンク９、１０は上体保持枠２に対して上方への回動が可能となる。
【０１０９】
次いで、搭乗者が左脚を上げることにより、左側の上脚リンク９、１０は下降限界位置から上方に回動し、図１２（ｂ）のように、左脚側の足部４Ａが床面から離れる。この際前述したように遊脚自重補償機構は脚部重量より弱い補償力を発揮しているため、搭乗者が意図的に脚を持ち上げる力を発揮しない限り、当該上脚リンク９、１０は持ち上がらない。
【０１１０】
左脚側の上脚リンク９、１０の上方への回動に連動して、図１０に示すようにワイヤ４８を介して右側のゲート板４５が引き上げられ、係合ピン４３が右側のゲート板４５の外側の面に係合する。その結果、傾斜応動部材４２は右方へ傾いた状態に拘束され、左脚側の上脚リンク９、１０を下降限界位置まで降ろさない限り、左脚側の開閉弁２８は開かれた状態のまま保持される。
【０１１１】
次に、図１０（ｃ）に示すように、搭乗者は自分の左脚を前方に踏み出すことによって、左脚側のガイドフレーム１３に支持されているスライダ１５を前方へスライドさせて、下脚リンク１８，１９を含む左脚側の下部平行リンク機構２２全体を前進させるとともに、右脚を屈曲させて、上体自重補償されている右側の下脚リンク１８、１９を後方に傾倒させる。
【０１１２】
この際、右側の上部平行リンク機構１４における上脚リンク９、１０は、右側の開閉弁２８が閉じていることで回動を拘束されているため、搭乗者が右脚を屈曲させると下脚リンク１８、１９のみがこれに追従して屈曲する。
【０１１３】
さらに、図１０（ｄ）に示すように、搭乗者は左側の足部４Ａを前方に着地させる。この際、左下脚リンク１８、１９には、右下脚リンク１８、１９と等しい角度に傾くまでは上体自重補償機構の補償力は作用しないため、左脚側の上脚リンク９、１０は、下降限界位置まで下方に回動する。
【０１１４】
そうすると、図９に示すように右側のゲート板４５は下降してその切欠ａが両側に隣接する固定ガイド４４の切欠ｂと重なり、係合ピン４３が通過できる開口が形成されるので、ここで搭乗者が上体の傾きを戻すことによって、傾斜応動部材４２を図７に示す中立位置側へ回動させると、左側の開閉弁２８は閉じて左脚側の上脚リンク９、１０は下降限界位置で固定される。
【０１１５】
さらに、搭乗者が体重を両脚中央に移動すると、上体自重補償機構は、図６に示す状態になって、左右両側の下脚リンク１８、１９に対して均等な補償力を作用させる。その後、搭乗者は両膝を伸ばすことによって、図１０（ｅ）のように左右両側の下脚リンク１８、１９を引き起こす。以上に説明した手順を左脚側と右脚側で交互に行うことにより、歩行動作を繰り返すことができる。
【０１１６】
なお、前述した実施形態における歩行アシスト装置１は、歩行者の補助を目的としているため、上体保持枠２にサドルや固定ベルトを設けているが、本発明の歩行アシスト装置は、これに限定するものではなく、上体保持枠を脚歩行ロボットやパワーアシストスーツの胴体部に取り付け、また、左右の足部に脚歩行ロボットやパワーアシストスーツの足部を連結することにより、ロボットやパワーアシストスーツ用の歩行アシスト装置として構成ことができる。
【産業上の利用可能性】
【０１１７】
本発明の自重補償型脚歩行アシスト装置は、脚歩行を行うロボットや、パワーアシストスーツに取り付けたり一体に組み込んで、歩行用アクチュエータの負荷やエネルギ消費を軽減するために利用することができ、また、怪我や病気、高齢等のために脚力が弱って自力歩行が困難な者の歩行補助装置として利用することができる。
【符号の説明】
【０１１８】
１              歩行アシスト装置
２              上体保持枠
３Ａ、３Ｂ      脚部
４Ａ、４Ｂ      足部
５              サドル
６              固定ベルト
７、８          支軸
９、１０        上脚リンク
１１、１２      支軸
１３            ガイドフレーム
１３Ａ          垂直部
１３Ｂ          水平部
１４            上部平行リンク機構
１５            スライダ
１５Ａ          ブラケット
１６、１７      支軸
１８、１９      下脚リンク
２０、２１      支軸
２２            下部平行リンク機構
２３            上部作動シリンダユニット
２３Ａ          ピストンロッド
２３Ｂ          シリンダ本体
２３Ｃ          ピストン
２４、２５      支軸
２６            上部マスタシリンダユニット
２６Ａ          ピストンロッド
２６Ｂ          ばね受部
２６Ｃ          シリンダ本体
２６Ｄ          ピストン
２７            管路
２８            開閉弁
２８Ａ          ローラフォロワ
２８Ａ          操作部
２９            遊脚自重補償ばね
３０            下部作動シリンダユニット
３０Ａ          ピストンロッド
３０Ｂ          シリンダ本体
３０Ｃ          ピストン
３１、３１Ａ    支軸
３２            下部マスタシリンダユニット
３２Ａ          ピストンロッド
３２Ｂ          シリンダ本体
３２Ｃ          係合部
３２Ｄ          ピストン
３３            管路
３４            上体自重補償ばね
３５            ばね力伝達体
３５Ａ          ガイド孔
３５Ｂ          ピストンロッド受孔
３６            保持枠
３７            ガイドロッド
３８            開閉弁制御機構
３９            回動軸
４０            板カム
４１            戻しばね
４２            傾斜応動部材
４３            係合ピン
４４            固定ガイド
４５            ゲート板
４６            引きばね
４７            連結具
４８            ワイヤ
【図１】
0005475527.tif 000002
【図２】
0005475527.tif 000003
【図３】
0005475527.tif 000004
【図４】
0005475527.tif 000005
【図５】
0005475527.tif 000006
【図６】
0005475527.tif 000007
【図７】
0005475527.tif 000008
【図８】
0005475527.tif 000009
【図９】
0005475527.tif 000010
【図１０】
0005475527.tif 000011
【図１１】
0005475527.tif 000012
【図１２】
0005475527.tif 000013